(57)【要約】【課題】捜索対象者の居場所へのアクセスを幇助することが可能な人物捜索技術を提供すること。【解決手段】人物捜索システムは、捜索対象者の顔画像情報及び現在位置情報を送信し、この送信に対する返信として捜索対象者の居場所までの経路情報を受信する通信端末と、人物を撮影するカメラと、前記カメラにより撮影された映像から顔画像情報を抽出し、この抽出された顔画像情報とこの顔画像情報の撮影場所情報とを対応付けて登録し、前記通信端末から送信された捜索対象者の顔画像情報及び現在位置情報を受信し、この受信した捜索対象者の顔画像情報に類似する登録済みの顔画像情報を検索し、この検索された登録済みの顔画像情報に対応付けられた撮影場所情報と受信した現在位置情報とに基づき生成される経路情報を前記通信端末へ返信するサーバとを備える。【選択図】図１
2009075916.tif 000002
【特許請求の範囲】
【請求項１】
現在位置情報を取得し、捜索対象者の顔画像情報及び現在位置情報を送信し、この送信に対する返信として捜索対象者の居場所までの経路情報を受信する通信端末と、
人物を撮影するカメラと、
前記カメラにより撮影された映像から顔画像情報を抽出し、この抽出された顔画像情報とこの顔画像情報の撮影場所情報とを対応付けて登録し、前記通信端末から送信された捜索対象者の顔画像情報及び現在位置情報を受信し、この受信した捜索対象者の顔画像情報に類似する登録済みの顔画像情報を検索し、この検索された登録済みの顔画像情報に対応付けられた撮影場所情報と受信した現在位置情報とに基づき、現在位置から撮影場所までの経路を検索し、検索された経路情報を前記通信端末へ返信するサーバと、
を備えた人物捜索システム。
【請求項２】
前記通信端末は、前記サーバに対して、署名情報を含む捜索対象者の顔画像情報を送信し、
前記サーバは、署名情報を登録し、前記通信端末から送信された署名情報を含む捜索対象者の顔画像情報を受信し、受信した捜索対象者の顔画像情報に含まれた署名情報と登録済みの署名情報が一致することを条件として、経路情報を前記通信端末へ返信することを特徴とする請求項１に記載の人物捜索システム。
【請求項３】
前記通信端末は、別の通信端末から署名情報を含む捜索対象者の顔画像情報を受信し、前記サーバに対して、この受信した署名情報を含む捜索対象者の顔画像情報を送信し、
前記サーバは、前記別の通信端末から送信される署名情報を登録し、前記通信端末から送信された署名情報を含む捜索対象者の顔画像情報を受信し、受信した捜索対象者の顔画像情報に含まれた署名情報と登録済みの署名情報が一致することを条件として、経路情報を前記通信端末へ返信することを特徴とする請求項１に記載の人物捜索システム。
【請求項４】
前記通信端末は、前記サーバに対して、有効期限付きの署名情報を含む捜索対象者の顔画像情報を送信し、
前記サーバは、署名情報を登録し、前記通信端末から送信された有効期限付きの署名情報を含む捜索対象者の顔画像情報を受信し、受信した捜索対象者の顔画像情報に含まれる有効期限付きの署名情報と登録済みの署名情報が一致し且つ有効期限内であることを条件として、経路情報を前記通信端末へ返信することを特徴とする請求項１に記載の人物捜索システム。
【請求項５】
前記通信端末は、別の通信端末から送信される第１の署名情報を含む捜索対象者の顔画像情報を受信し、第２の署名情報を前記サーバへ登録し、受信した第１の署名情報を含む捜索対象者の顔画像情報に対して第２の署名情報を加えて、前記サーバに対して、第１及び第２の署名情報を含む捜索対象者の顔画像情報を送信し、
前記サーバは、前記別の通信端末から送信される第１の署名情報と前記通信端末から送信される第２の署名情報とを登録し、前記通信端末から送信された第１及び第２の署名情報を含む捜索対象者の顔画像情報を受信し、受信した捜索対象者の顔画像情報に含まれる第１及び第２の署名情報と登録済みの第１及び第２の署名情報が一致することを条件として、経路情報を前記通信端末へ返信することを特徴とする請求項１に記載の人物捜索システム。
【請求項６】
前記通信端末は、別の通信端末から送信される有効期限付きの第１の署名情報を含む捜索対象者の顔画像情報を受信し、第２の署名情報を前記サーバへ登録し、受信した第１の署名情報を含む捜索対象者の顔画像情報に対して有効期限付きの第２の署名情報を加えて、前記サーバに対して、有効期限付きの第１及び第２の署名情報を含む捜索対象者の顔画像情報を送信し、
前記サーバは、前記別の通信端末から送信される第１の署名情報と前記通信端末から送信される第２の署名情報とを登録し、前記通信端末から送信された有効期限付きの第１及び第２の署名情報を含む捜索対象者の顔画像情報を受信し、受信した捜索対象者の顔画像情報に含まれる第１及び第２の署名情報と登録済みの第１及び第２の署名情報が一致し且つ有効期限内であることを条件として、経路情報を前記通信端末へ返信することを特徴とする請求項１に記載の人物捜索システム。
【請求項７】
カメラは、人物を撮影し、
サーバは、撮影された映像から顔画像情報を抽出し、この抽出された顔画像情報とこの顔画像情報の撮影場所情報とを対応付けて登録し、
通信端末は、現在位置情報を取得し、前記サーバに対して、捜索対象者の顔画像情報及び取得した現在位置情報を送信し、
前記サーバは、前記送信された捜索対象者の顔画像情報及び現在位置情報を受信し、この受信した捜索対象者の顔画像情報に類似する登録済みの顔画像情報を検索し、この検索された登録済みの顔画像情報に対応付けられた撮影場所情報と受信した現在位置情報とに基づき、現在位置から撮影場所までの経路を検索し、検索された経路情報を前記通信端末へ返信する人物捜索方法。
【請求項８】
前記通信端末は、前記サーバに対して、署名情報を含む捜索対象者の顔画像情報を送信し、
前記サーバは、署名情報を登録し、前記通信端末から送信された署名情報を含む捜索対象者の顔画像情報を受信し、受信した捜索対象者の顔画像情報に含まれた署名情報と登録済みの署名情報が一致することを条件として、経路情報を前記通信端末へ返信することを特徴とする請求項７に記載の人物捜索方法。
【請求項９】
前記通信端末は、別の通信端末から署名情報を含む捜索対象者の顔画像情報を受信し、前記サーバに対して、この受信した署名情報を含む捜索対象者の顔画像情報を送信し、
前記サーバは、前記別の通信端末から送信される署名情報を登録し、前記通信端末から送信された署名情報を含む捜索対象者の顔画像情報を受信し、受信した捜索対象者の顔画像情報に含まれた署名情報と登録済みの署名情報が一致することを条件として、経路情報を前記通信端末へ返信することを特徴とする請求項７に記載の人物捜索方法。
【請求項１０】
前記通信端末は、前記サーバに対して、有効期限付きの署名情報を含む捜索対象者の顔画像情報を送信し、
前記サーバは、署名情報を登録し、前記通信端末から送信された有効期限付きの署名情報を含む捜索対象者の顔画像情報を受信し、受信した捜索対象者の顔画像情報に含まれる有効期限付きの署名情報と登録済みの署名情報が一致し且つ有効期限内であることを条件として、経路情報を前記通信端末へ返信することを特徴とする請求項７に記載の人物捜索方法。
【請求項１１】
前記通信端末は、別の通信端末から送信される第１の署名情報を含む捜索対象者の顔画像情報を受信し、第２の署名情報を前記サーバへ登録し、受信した第１の署名情報を含む捜索対象者の顔画像情報に対して第２の署名情報を加えて、前記サーバに対して、第１及び第２の署名情報を含む捜索対象者の顔画像情報を送信し、
前記サーバは、前記別の通信端末から送信される第１の署名情報と前記通信端末から送信される第２の署名情報とを登録し、前記通信端末から送信された第１及び第２の署名情報を含む捜索対象者の顔画像情報を受信し、受信した捜索対象者の顔画像情報に含まれる第１及び第２の署名情報と登録済みの第１及び第２の署名情報が一致することを条件として、経路情報を前記通信端末へ返信することを特徴とする請求項７に記載の人物捜索方法。
【請求項１２】
前記通信端末は、別の通信端末から送信される有効期限付きの第１の署名情報を含む捜索対象者の顔画像情報を受信し、第２の署名情報を前記サーバへ登録し、受信した第１の署名情報を含む捜索対象者の顔画像情報に対して有効期限付きの第２の署名情報を加えて、前記サーバに対して、有効期限付きの第１及び第２の署名情報を含む捜索対象者の顔画像情報を送信し、
前記サーバは、前記別の通信端末から送信される第１の署名情報と前記通信端末から送信される第２の署名情報とを登録し、前記通信端末から送信された有効期限付きの第１及び第２の署名情報を含む捜索対象者の顔画像情報を受信し、受信した捜索対象者の顔画像情報に含まれる第１及び第２の署名情報と登録済みの第１及び第２の署名情報が一致し且つ有効期限内であることを条件として、経路情報を前記通信端末へ返信することを特徴とする請求項７に記載の人物捜索方法。
【発明の詳細な説明】
【技術分野】
【０００１】
本発明は、携帯電話等の通信端末を利用した人物捜索技術に関する。
【背景技術】
【０００２】
アミューズメントパーク、遊園地、展示場、デパート等の多くの人が集まる施設において、特定の人物を探索するのは容易ではなく、特定の人物を比較的簡単に探索することが可能な人物探索技術が要望されている。
【０００３】
例えば、複数人の仲間（グループメンバ）で遊園地に訪れた場合を想定する。施設内で仲間（探索対象者）を探している人物は、自分で施設内を探し回り、それでも探索対象者が見つからない場合には受付けなどの決められた場所へ行き、受付け係あるいは警備員に放送などで仲間を呼び出してもらっている。この場合、探索対象者は、呼び出しの放送を聞いて放送にて指示された場所に自主的に行くようになっている。さらに、放送にて指示した場所に探索対象者が現れない場合には、警備員などが施設内を探し回って探索対象者を探すようになっている。
【０００４】
これでは、仲間を探している人は、自分自身で施設内を探し回った上に、決められた場所まで出向き、受付け係あるいは警備員に協力してもらって探索対象者を探すという煩わしさがある。更には、探索対象者が犯罪等に巻き込まれた可能性が疑われる場合であっても、上述のように人手による探索対象者を探し出す手段に頼るしかなかった。
【０００５】
そこで、アミューズメントパークなどに訪れたグループメンバ全員の携帯に、全員の顔画像を登録し、また、施設内の各所にカメラを設置し顔画像を取得しておき、各人が離散した際に人物検索の要求を出して、携帯端末の画像と撮影済みの顔画像の比較を行い、居場所がわかった場合は撮影時間や撮影場所の情報を、人物検索の要求を出した人へ通知するシステムが提案されている（特許文献１参照）。
【特許文献１】特開２００４−１７７９９７
【発明の開示】
【発明が解決しようとする課題】
【０００６】
しかしながら、上記提案されたシステムをもってしても、さらに以下のような改善要求が出されている。
【０００７】
・撮影場所や撮影時間などがわかっても、施設内の概要をよく知らない人にとっては撮影場所まで辿り着くための道順がわからないと、撮影場所まで行き着けない。
【０００８】
・顔画像を第三者がなんらかの手段で入手した場合、誰でも人物検索ができてしまうため、悪用される可能性がある。
【０００９】
本発明の目的は、捜索対象者の居場所へのアクセスを幇助することが可能な人物捜索技術を提供することにある。
【課題を解決するための手段】
【００１０】
この発明の一実施形態に係る人物捜索システムは、現在位置情報を取得し、捜索対象者の顔画像情報及び現在位置情報を送信し、この送信に対する返信として捜索対象者の居場所までの経路情報を受信する通信端末と、人物を撮影するカメラと、前記カメラにより撮影された映像から顔画像情報を抽出し、この抽出された顔画像情報とこの顔画像情報の撮影場所情報とを対応付けて登録し、前記通信端末から送信された捜索対象者の顔画像情報及び現在位置情報を受信し、この受信した捜索対象者の顔画像情報に類似する登録済みの顔画像情報を検索し、この検索された登録済みの顔画像情報に対応付けられた撮影場所情報と受信した現在位置情報とに基づき、現在位置から撮影場所までの経路を検索し、検索された経路情報を前記通信端末へ返信するサーバと、を備える。
【００１１】
この発明の一実施形態に係る人物捜索方法は、カメラは、人物を撮影し、サーバは、撮影された映像から顔画像情報を抽出し、この抽出された顔画像情報とこの顔画像情報の撮影場所情報とを対応付けて登録し、通信端末は、現在位置情報を取得し、前記サーバに対して、捜索対象者の顔画像情報及び取得した現在位置情報を送信し、前記サーバは、前記送信された捜索対象者の顔画像情報及び現在位置情報を受信し、この受信した捜索対象者の顔画像情報に類似する登録済みの顔画像情報を検索し、この検索された登録済みの顔画像情報に対応付けられた撮影場所情報と受信した現在位置情報とに基づき、現在位置から撮影場所までの経路を検索し、検索された経路情報を前記通信端末へ返信する。
【発明の効果】
【００１２】
本発明によれば、捜索対象者の居場所へのアクセスを幇助することが可能な人物捜索技術を提供できる。
【発明を実施するための最良の形態】
【００１３】
以下、図面を参照し、本発明の実施形態について説明する。
【００１４】
図１は、本発明の人物捜索システムの概略構成を示す図である。図１に示すように、人物検索システムは、複数のカメラ１、サーバ２、複数の携帯電話３（通信端末）により構成される。人物検索システムは、駅構内、遊園地、美術館、アミューズメントパークにおける人物捜索に適用することができる。
【００１５】
例えば、複数のカメラ１を駅構内の複数個所に設置する。各カメラ１とサーバ２は、例えばネットワークにより接続されている。また、各携帯電話３は、サーバ２のアドレスを指定することにより、サーバ２に対して各種情報を送信することができ、逆に、サーバ２は各携帯電話３のアドレスを指定することにより、各携帯電話３に対して各種情報を返信することができる。
【００１６】
さらに、携帯電話３は、例えばＧＰＳ（Global Positioning System）を利用するための機能を有しており、現在位置情報を取得することができ、取得した現在位置情報をサーバ２へ送信することにより、携帯電話３の現在位置をサーバ２へ知らせることができる。また、各カメラ１が、ＧＰＳを利用するための機能を有していてもよく、この場合、各カメラ１は、位置情報を取得することができ、取得した位置情報をサーバ２へ送信することにより、サーバ２は各カメラの位置を知ることができる。
【００１７】
以下、上記した人物捜索システムによる人物捜索について複数の例に分けて説明する。
【００１８】
最初に、第1例について説明する。
【００１９】
駅構内に設置された複数台のカメラ１は、駅構内を撮影し、撮影された映像から画像処理技術により顔画像情報を抽出し、サーバ２へ送信する（ＳＴ１−１）。或いは、カメラ１は、撮影された映像をそのままサーバ２へ送信し、サーバ２が、撮影された映像から画像処理技術により顔画像情報を抽出する。
【００２０】
さらに、サーバ２は、抽出された顔画像情報とこの顔画像情報の撮影場所情報とを対応付けて登録する。より詳細には、サーバ２は、抽出された顔画像情報から、目鼻等を検出し、目鼻等の検出結果に基づき特徴情報データを生成し、この生成された特徴情報データと撮影場所情報とを対応付けて登録する（ＳＴ１−２）。
【００２１】
撮影場所情報は、各カメラ１の設置場所情報である。本システムの運営者が、サーバ２に対して各カメラ１の設置場所情報を登録する。或いは、各カメラ１が、ＧＰＳを利用するための機能を有し、各カメラ１が、ＧＰＳを利用した現在位置情報をサーバ２へ送信する。
【００２２】
ここで、図２に示すフローチャートを参照して、特徴情報データの登録処理の一例（サーバ側で顔画像情報及び特徴情報データを抽出し登録するケース）についてまとめる。施設に設置された複数台のカメラ１は、施設内を撮影し（ＳＴ２−１）、撮影された映像をサーバ２へ送信する（ＳＴ２−２）。サーバ２は、撮影された映像から顔画像情報を抽出し、さらに抽出された顔画像情報から特徴情報データを抽出する（ＳＴ２−３）。サーバ２は、特徴情報データの抽出に成功すれば（ＳＴ２−４、ＹＥＳ）、抽出に成功した特徴情報データを登録する（ＳＴ２−５）。
【００２３】
なお、サーバ２は、設定された一定時間を過ぎて登録されたままになっている顔画像情報及び特徴情報データを削除する（ＳＴ２−６）。例えば、後述する照合処理に使われても、照合成功の判断を得る情報として一定時間使用されなかった顔画像情報及び特徴情報データを削除する。カメラ１による撮影が継続する間（ＳＴ２−７、ＹＥＳ）、上記処理が繰り返される。
【００２４】
例えば、駅構内において２人以上で待ち合わせをしたにも関わらず場所を間違っていたりして時間通りに出会うことができなかった場合を想定する。待ち合わせ人物のうち一方の人物４（例えばＡ氏）は、人物４（Ａ氏）自身が所有する携帯電話３に保存された相手５（例えばＢ氏）の顔画像情報をサーバ２へ送信する（ＳＴ１−３）。このとき、人物４（Ａ氏）の携帯電話３は、ＧＰＳを利用して取得した現在位置情報を、あわせてサーバ２へ送信する。
【００２５】
サーバ２は、人物４（Ａ氏）の携帯電話３から送信される顔画像情報及び現在位置情報を受信する。さらに、サーバ２は、受信した顔画像情報から特徴情報データを抽出し、抽出された特徴情報データに類似する登録済みの特徴情報データを検索する。つまり、サーバ２は、抽出された特徴情報データと登録済みの特徴情報データとを照合し（ＳＴ１−４）、所定の類似基準を満たす登録済みの特徴情報データを検索する。サーバ２は、この検索された登録済みの特徴情報データに対応付けられた撮影場所情報と受信した現在位置情報とに基づき、現在位置から撮影場所までの経路を検索し、検索された経路情報を人物４（Ａ氏）の携帯電話３へ送信する（ＳＴ１−５）。
【００２６】
ここで、図４に示すフローチャートを参照して、経路情報返信処理の一例についてまとめる。最初に、人物４（Ａ氏）自身が所有する携帯電話３に保存された相手５（例えばＢ氏）の顔画像情報及び現在位置情報をサーバ２へ送信する（ＳＴ４−１）。サーバ２は、人物４（Ａ氏）の携帯電話３から送信される顔画像情報及び現在位置情報を受信し、受信した顔画像情報から特徴情報データを抽出し、抽出された特徴情報データと登録済みの特徴情報データとを照合し（ＳＴ４−２）、照合に成功した場合（ＳＴ４−３、ＹＥＳ）、照合に成功した登録済みの特徴情報データに対応付けられた撮影場所情報、現在位置から撮影場所までの経路、及びこの経路を含む地図を人物４（Ａ氏）の携帯電話３へ送信する（ＳＴ１−４）。照合に失敗した場合（ＳＴ４−３、ＮＯ）、人物４（Ａ氏）の携帯電話３へ、合致する顔画像が登録されていないことを通知する（ＳＴ４−５）。
【００２７】
さらに、署名情報を利用して不正な人物捜索を防止することもできる。例えば、あらかじめ、相手５（Ｂ氏）の携帯電話３により、相手５（Ｂ氏）を撮影し、撮影された相手５（Ｂ氏）の顔画像情報に対して署名情報を付ける。その上で、相手５（Ｂ氏）の携帯電話３から人物４（Ａ氏）の携帯電話３に対して署名情報を含む顔画像情報を送信するとともに、相手５（Ｂ氏）の携帯電話３からサーバ２に対して署名情報を送信する。サーバ２は、相手５（Ｂ氏）の携帯電話３から送信される署名情報を受信し登録する。
【００２８】
人物４（Ａ氏）の携帯電話３は、サーバ２に対して、署名情報を含む捜索対象者の顔画像情報を送信する。サーバ２は、人物４（Ａ氏）の携帯電話３から送信された署名情報を含む捜索対象者の顔画像情報を受信し、受信した捜索対象者の顔画像情報に含まれた署名情報と登録済みの署名情報が一致することを条件として、経路情報を人物４（Ａ氏）の携帯電話３へ返信する。
【００２９】
以上により、Ｂ氏の許可なし（つまりＢ氏の署名なし）に、無断でＢ氏顔画像を使い、Ｂ氏が検索されてしまうようなプライバシー侵害を防止することができる。また、このような無断検索を制限することにより、犯罪防止にもつながる。
【００３０】
次に、第２例について説明する。第２例ではＢ氏の署名に加えてＡ氏の署名も利用する点で、上記した第１例と異なる。そこで、上記した第１例と異なる部分を中心に説明する。
【００３１】
例えば、あらかじめ、相手５（Ｂ氏）の携帯電話３により、相手５（Ｂ氏）を撮影し、撮影された相手５（Ｂ氏）の顔画像情報に対してＢ氏の署名情報を付ける。その上で、相手５（Ｂ氏）の携帯電話３から人物４（Ａ氏）の携帯電話３に対してＢ氏の署名情報を含む顔画像情報を送信するとともに、相手５（Ｂ氏）の携帯電話３からサーバ２に対してＢ氏の署名情報を送信する。サーバ２は、相手５（Ｂ氏）の携帯電話３から送信されるＢ氏の署名情報を受信し登録する。
【００３２】
人物４（Ａ氏）の携帯電話３は、予めサーバ２に対して、Ａ氏の署名情報を送信する。サーバ２は、人物４（Ａ氏）の携帯電話３から送信されるＡ氏の署名情報を受信し登録する。さらに、人物４（Ａ氏）の携帯電話３は、相手５（Ｂ氏）の携帯電話３から送信されるＢ氏の署名情報を含む捜索対象者の顔画像情報を受信し、受信したＢ氏の署名情報を含む捜索対象者の顔画像情報に対してＡ氏の署名情報を加えて、サーバ２に対して、Ｂ氏及びＡ氏の署名情報を含む捜索対象者の顔画像情報を送信する。
【００３３】
サーバ２は、人物４（Ａ氏）の携帯電話３から送信されたＢ氏及びＡ氏の署名情報を含む捜索対象者の顔画像情報を受信し、受信した捜索対象者の顔画像情報に含まれるＢ氏及びＡ氏の署名情報と登録済みのＢ氏及びＡ氏の署名情報とが一致することを条件として、経路情報を人物４（Ａ氏）の携帯電話３へ返信する。
【００３４】
以上により、Ｂ氏の許可なし（Ｂ氏の署名なし）に、無断でＢ氏顔画像を使い、Ｂ氏が検索されてしまうようなプライバシー侵害を防止するとともに、Ａ氏以外の人が検索処理を行うことも防止できる。このような無断検索を制限することにより、犯罪防止にもつながる。
【００３５】
次に、第３例について説明する。第３例では署名に有効期限を設定する点で、上記した第１例及び第２例と異なる。そこで、上記した第１例及び第２例と異なる部分を中心に説明する。
【００３６】
あらかじめ、相手５（Ｂ氏）の携帯電話３により、相手５（Ｂ氏）を撮影し、撮影された相手５（Ｂ氏）の顔画像情報に対して有効期限付きの署名情報を付ける。その上で、相手５（Ｂ氏）の携帯電話３から人物４（Ａ氏）の携帯電話３に対して有効期限付きの署名情報を含む顔画像情報を送信するとともに、相手５（Ｂ氏）の携帯電話３からサーバ２に対して署名情報（或いは有効期限付きの署名情報）を送信する。サーバ２は、相手５（Ｂ氏）の携帯電話３から送信される署名情報（或いは有効期限付きの署名情報）を受信し登録する。
【００３７】
人物４（Ａ氏）の携帯電話３は、相手５（Ｂ氏）の携帯電話３から送信される有効期限付きの署名情報を含む顔画像情報を受信し、さらに、サーバ２に対して、有効期限付きの署名情報を含む捜索対象者の顔画像情報を送信する。サーバ２は、人物４（Ａ氏）の携帯電話３から送信された有効期限付きの署名情報を含む捜索対象者の顔画像情報を受信し、受信した捜索対象者の顔画像情報に含まれた有効期限付きの署名情報と登録済みの署名情報が一致し且つ有効期限内であることを条件として、経路情報を人物４（Ａ氏）の携帯電話３へ返信する。
【００３８】
以上により、Ｂ氏の許可なし（Ｂ氏の署名なし）に、無断でＢ氏顔画像を使い、Ｂ氏が検索されてしまうようなプライバシー侵害を防止することができ、また、このような無断検索を制限することにより、犯罪防止にもつながる。さらに、待ち合わせ当日や一定の時間帯（有効期限内）だけ人物捜索が可能となり、人物捜索の悪用をより効果的に防止することができる。
【００３９】
また、上記したＢ氏の署名情報に対する有効期限設定に加えて、Ａ氏の署名情報を利用するとともに、このＡ氏の署名情報に対しても有効期限を設定するようにしてもよい。
【００４０】
あらかじめ、相手５（Ｂ氏）の携帯電話３により、相手５（Ｂ氏）を撮影し、撮影された相手５（Ｂ氏）の顔画像情報に対して有効期限付きのＢ氏の署名情報を付ける。その上で、相手５（Ｂ氏）の携帯電話３から人物４（Ａ氏）の携帯電話３に対して有効期限付きのＢ氏の署名情報を含む顔画像情報を送信するとともに、相手５（Ｂ氏）の携帯電話３からサーバ２に対してＢ氏の署名情報（或いは有効期限付きのＢ氏の署名情報）を送信する。サーバ２は、相手５（Ｂ氏）の携帯電話３から送信されるＢ氏の署名情報（或いは有効期限付きのＢ氏の署名情報）を受信し登録する。
【００４１】
人物４（Ａ氏）の携帯電話３は、予めサーバ２に対して、Ａ氏の署名情報（或いは有効期限付きのＡ氏の署名情報）を送信する。サーバ２は、人物４（Ａ氏）の携帯電話３から送信されるＡ氏の署名情報（或いは有効期限付きのＡ氏の署名情報）を受信し登録する。さらに、人物４（Ａ氏）の携帯電話３は、相手５（Ｂ氏）の携帯電話３から送信される有効期限付きのＢ氏の署名情報を含む捜索対象者の顔画像情報を受信し、受信した有効期限付きのＢ氏の署名情報を含む捜索対象者の顔画像情報に対して有効期限付きのＡ氏の署名情報を加えて、サーバ２に対して、有効期限付きのＢ氏及びＡ氏の署名情報を含む捜索対象者の顔画像情報を送信する。
【００４２】
サーバ２は、人物４（Ａ氏）の携帯電話３から送信された有効期限付きのＢ氏及びＡ氏の署名情報を含む捜索対象者の顔画像情報を受信し、受信した捜索対象者の顔画像情報に含まれる有効期限付きのＢ氏及びＡ氏の署名情報と登録済みのＢ氏及びＡ氏の署名情報（或いは有効期限付きのＢ氏及びＡ氏の署名情報）が一致し且つ有効期限内であることを条件として、経路情報を人物４（Ａ氏）の携帯電話３へ返信する。
【００４３】
以上により、Ｂ氏の許可なし（Ｂ氏の署名なし）に、無断でＢ氏顔画像を使い、Ｂ氏が検索されてしまうようなプライバシー侵害を防止するとともに、Ａ氏以外の人が検索処理を行うことも防止でき、このような無断検索を制限することにより、犯罪防止にもつながる。さらに、待ち合わせ当日や一定の時間帯（有効期限内）だけ人物捜索が可能となり、人物捜索の悪用をより効果的に防止することができる。
【００４４】
ここで、図３に示すフローチャートを参照して、有効期限付きの署名情報の登録処理の一例（有効期限付きのＢ氏及びＡ氏の署名情報の一括登録）についてまとめる。上記説明では、有効期限付きのＢ氏の署名情報と有効期限付きのＡ氏の署名情報とを別々に登録するケースについて説明したが、図３のフローチャートに示すように両者を一括登録するようにしてもよい。
【００４５】
最初に、相手５（Ｂ氏）の携帯電話３により、相手５（Ｂ氏）を撮影し（ＳＴ３−１）、撮影された相手５（Ｂ氏）の顔画像情報に対して有効期限付きのＢ氏の署名情報を付け（ＳＴ３−２）、相手５（Ｂ氏）の携帯電話３から人物４（Ａ氏）の携帯電話３に対して有効期限付きのＢ氏の署名情報を含む顔画像情報を送信する（ＳＴ３−２）。
【００４６】
人物４（Ａ氏）の携帯電話３は、相手５（Ｂ氏）の携帯電話３から送信される有効期限付きのＢ氏の署名情報を含む捜索対象者の顔画像情報を受信し、受信した有効期限付きのＢ氏の署名情報を含む捜索対象者の顔画像情報に対して有効期限付きのＡ氏の署名情報を加える（ＳＴ３−３）。人物４（Ａ氏）の携帯電話３は、サーバ２に対して、有効期限付きのＢ氏及びＡ氏の署名情報を含む捜索対象者の顔画像情報を送信する。
【００４７】
サーバ２は、人物４（Ａ氏）の携帯電話３から送信される有効期限付きのＢ氏及びＡ氏の署名情報を含む捜索対象者の顔画像情報を登録する（ＳＴ３−４）。
【００４８】
上記第１例、第２例、第３例では、主に、待ち合わせ時の人物捜索について説明したが、本実施形態はこれだけに限定されるものではない。例えば、人物捜索システムは、保護者（親など）が迷子を捜す場合にも活用できる。
【００４９】
施設に設置された複数台のカメラ１は、施設内を撮影し、撮影された映像から画像処理技術により顔画像情報を抽出し、サーバ２へ送信する（ＳＴ１−１）。或いは、カメラ１は、撮影された映像をそのままサーバ２へ送信し、サーバ２は、撮影された映像から画像処理技術により顔画像情報を抽出する。
【００５０】
さらに、サーバ２は、抽出された顔画像情報とこの顔画像情報の撮影場所情報とを対応付けて登録する。より詳細には、サーバ２は、抽出された顔画像情報から、目鼻等を検出し、目鼻等の検出結果に基づき特徴情報データを生成し、この生成された特徴情報データと撮影場所情報とを対応付けて登録する（ＳＴ１−２）。
【００５１】
例えば、施設内で子供が迷子になった場合を想定する。保護者４は、保護者４自身が所有する携帯電話３に保存された子供５の顔画像情報をサーバ２に送信する（ＳＴ１−３）。このとき、保護者４の携帯電話３は、ＧＰＳを利用して取得した現在位置情報を、あわせてサーバ２へ送信する。
【００５２】
サーバ２は、保護者４の携帯電話３から送られてきた顔画情報及び現在位置情報を受信する。さらに、サーバ２は、受信した顔画像情報から特徴情報データを抽出し、抽出された特徴情報データに類似する登録済みの特徴情報データを検索する。つまり、サーバ２は、抽出された特徴情報データと登録済みの特徴情報データとを照合し（ＳＴ１−４）、所定の類似基準を満たす登録済みの特徴情報データを検索する。サーバ２は、この検索された登録済みの特徴情報データに対応付けられた撮影場所情報と受信した現在位置情報とに基づき、現在位置から撮影場所までの経路を検索し、検索された経路情報を保護者４の携帯電話３へ送信する（ＳＴ１−５）。
【００５３】
子供の顔画像は、保護者があらかじめ撮影し署名を付けサーバ２に登録しておくことで、保護者外の人が子供の検索を行うことも防止できる。この時、保護者が付けた署名の有効期間を設けることで、その施設にいる間だけ使用でき、顔画像を悪用される可能性の期間も短くすることができる。
【００５４】
さらに、人物検索システムは、警察が犯人を捜す場合にも活用できる。
【００５５】
施設に設置された複数台のカメラ１は、施設内を撮影し、撮影された映像から画像処理技術により顔画像情報を抽出し、サーバ２へ送信する（ＳＴ１−１）。或いは、カメラ１は、撮影された映像をそのままサーバ２へ送信し、サーバ２は、撮影された映像から画像処理技術により顔画像情報を抽出する。
【００５６】
さらに、サーバ２は、抽出された顔画像情報とこの顔画像情報の撮影場所情報とを対応付けて登録する。より詳細には、サーバ２は、抽出された顔画像情報から、目鼻等を検出し、目鼻等の検出結果に基づき特徴情報データを生成し、この生成された特徴情報データと撮影場所情報とを対応付けて登録する（ＳＴ１−２）。
【００５７】
警察４で管理されている携帯電話３に保存された犯人５の顔画像情報をサーバ２に送信する（ＳＴ１−３）。このとき、警察４で管理されている携帯電話３は、ＧＰＳを利用して取得した現在位置情報を、あわせてサーバ２へ送信する。
【００５８】
サーバ２は、警察４で管理されている携帯電話３から送られてきた顔画情報及び現在位置情報を受信する。さらに、サーバ２は、受信した顔画像情報から特徴情報データを抽出し、抽出された特徴情報データに類似する登録済みの特徴情報データを検索する。つまり、サーバ２は、抽出された特徴情報データと登録済みの特徴情報データとを照合し（ＳＴ１−４）、所定の類似基準を満たす登録済みの特徴情報データを検索する。サーバ２は、この検索された登録済みの特徴情報データに対応付けられた撮影場所情報と受信した現在位置情報とに基づき、現在位置から撮影場所までの経路を検索し、検索された経路情報を警察４で管理されている携帯電話３へ送信する（ＳＴ１−５）。
【００５９】
犯人の顔画像は、警察があらかじめ署名を付けサーバ２に登録しておくことで、警察以外の人が犯人の捜索を行うことも防止できる。この時、警察が付けた署名の有効期間を設けることで、ある一定期間だけ犯人を捜索することもできる。
【００６０】
以上説明したように、本実施形態によれば、捜索対象者の居場所情報だけでなく、捜索対象者の居場所までの経路（例えば地図）を送信することができ、該当施設に詳しくない人でも目的地（捜索対象者の居場所）まで比較的に容易に辿り着くことができる。
【００６１】
また、捜索相手の画像には、あらかじめ捜索相手の署名を付けておき、悪意の第三者が署名のない画像で勝手に居場所検索することを防止できる。例えば、芸能人の顔写真を元に検索するような、プライバシー侵害を防止できる。また、迷子の子供の写真を保護者以外の人物が勝手に使用し、迷子の子供を探し出してしまうような犯罪につながりそうなことを防止できる。
【００６２】
さらに、検索用画像の署名に有効期間を設定することで、必要な期間（又は時間）だけ検索ができる。これにより、検索が必要な期間以外で使用できなくなり、悪用の危険にさらされている期間も最低限の短い期間とすることができる。
【００６３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００６４】
【図１】本発明の人物捜索システムの概略構成を示す図である。
【図２】特徴情報データの登録処理の一例を示すフローチャートである。
【図３】有効期限付きの署名情報の登録処理の一例を示すフローチャートである。
【図４】経路情報返信処理の一例を示すフローチャートである。
【符号の説明】
【００６５】
１…カメラ、２…サーバ、３…携帯電話
【図１】
2009075916.tif 000003
【図２】
2009075916.tif 000004
【図３】
2009075916.tif 000005
【図４】
2009075916.tif 000006